(57)【要約】【課題】転写時に転写ヘッドの押圧転写部が、均一に被転写面に接触して、良好な転写塗膜を得ることができる塗膜転写具を提供する。【解決手段】繰出し回転部と巻取り回転部と転写ヘッドを有し、転写テープが転写ヘッドを経由して被転写面に転写される塗膜と残りのテープ基材とに分かれ、前記テープ基材が前記繰出し回転部から前記巻取り回転部に巻き取られるようになっており、前記転写ヘッドの先端に押圧転写部が形成され、前記転写ヘッドの幅方向両端部にテープガイドが設けられている塗膜転写具において、前記押圧転写部から前記テープガイド間の全て、もしくは一部分における、前記テープ基材が反転して走行する上面部の幅方向両端部に、中央部分に比べて肉厚が薄くなっている薄肉部を有することを特徴とする塗膜転写具。【選択図】  図２
2005288981.tif 000002
【特許請求の範囲】
【請求項１】
繰出し回転部と巻取り回転部と転写ヘッドを有し、転写テープが転写ヘッドを経由して被転写面に転写される塗膜と残りのテープ基材とに分かれ、前記テープ基材が前記繰出し回転部から前記巻取り回転部に巻き取られるようになっており、前記転写ヘッドの先端に押圧転写部が形成され、前記転写ヘッドの幅方向両端部にテープガイドが設けられている塗膜転写具において、前記押圧転写部から前記テープガイド間の全て、もしくは一部分における、前記テープ基材が反転して走行する上面部の幅方向両端部に、中央部に比べて肉厚が薄くなっている薄肉部を有することを特徴とする塗膜転写具。
【請求項２】
前記薄肉部が、両端部から始まり、平坦な中央部に向かうにつれて厚みが大きくなる傾斜部からなり、かつ前記押圧転写部から前記テープガイド間の全て、もしくは一部分における断面形状が、台形形状であることを特徴とする請求項１記載の塗膜転写具。
【請求項３】
前記薄肉部が、両端部から始まり、中央部に向かうにつれて厚みが一定でありかつ中央部よりも厚みの小さい平坦部と、前記平坦部から中央部に向かうにつれて厚みが大きくなる傾斜部とからなることを特徴とする請求項１記載の塗膜転写具。
【発明の詳細な説明】
【技術分野】
【０００１】
本発明は、転写テープ基材の表面にコーティングされた修正用塗膜、接着用粘着剤、装飾用塗膜等を被転写面に転写する為に用いる塗膜転写具の転写ヘッドの技術分野に属する。
【背景技術】
【０００２】
従来、例えばボールペン等の筆記具による誤記を修正するための修正テープを用いる塗膜転写具において、転写ヘッドの先端部は、前記修正テープを被転写体上の修正個所に密着させた上で、前記塗膜転写具をスライドさせることにより、前記修正テープを背面方向より押圧することで、前記修正テープ上の修正塗膜を被転写体上に転写することができるとともに、必要な箇所において前記修正テープの修正塗膜を圧断するものであるため、その転写ヘッドの形状は、先端部ほど肉薄の尖頭形状とされている。（例えば特許文献１）
また転写ヘッドの先端部が、確実に紙面に対する接触状態を維持できるように、前記転写ヘッドの先端部における幅方向の両側縁に、内向きの切り欠きを設けることも提案されている。（例えば特許文献２）
【特許文献１】特公平３−１１６３９号公報
【特許文献２】特開２００２−２７４０９６号公報
【発明の開示】
【発明が解決しようとする課題】
【０００３】
しかしながら、前記従来の塗膜転写具の転写ヘッドでは、押圧転写部は修正テープを被転写面に均一に圧着できるように、テープ幅方向に直線状になるように設計されているため、前記転写ヘッドの成形条件や成形金型の仕上がり状態によっては、前記押圧転写部が湾曲してしまうことがあった。この湾曲状態が逆反り状態になったときは、前記押圧転写部において転写テープを均一に圧着できず、転写した修正塗膜に浮きが発生してしまう場合があった。また、成形上の問題がなく、前記押圧転写部が直線状になっている場合であっても、転写操作時に、前記押圧転写部は被転写面に対して直角ではなく、転写ヘッドの進行方向に対して傾斜した状態で押し付けられるから、押圧力が大きいと、前記押圧転写部は反対側に撓んで反り返り、修正テープに十分な圧力が集中的かつ均等に伝達されず、塗膜の部分的な剥離等が生じて、正確な修正塗膜の転写が困難となるとともに、必要な箇所においての前記修正塗膜の圧断も十分に行えない等の不具合があった。
【０００４】
また、転写ヘッドの先端部における幅方向の両側縁に、内向きの切り欠きを設けた転写ヘッドにおいては、切り欠きを設ける場合、成型金型の強度確保の問題により、ヘッド先端部からテープガイドまでの距離を大きくする必要が生じるため、テープの蛇行規制の効果が低減してテープ外れが発生しやすくなったり、また成型時に切り欠き部分において、成型用樹脂の流れが悪くなることで、ヘッド先端部の形状不良や強度不足が発生するなどの不具合があった。
【０００５】
本発明の目的は、転写時に転写ヘッドの押圧転写部が、均一に被転写面に接触して、良好な転写塗膜を得ることができる塗膜転写具を提供することにある。
【課題を解決するための手段】
【０００６】
上記目的を達成するため、本発明は、繰出し回転部と巻取り回転部と転写ヘッドを有し、転写テープが転写ヘッドを経由して被転写面に転写される塗膜と残りのテープ基材とに分かれ、前記テープ基材が前記繰出し回転部から前記巻取り回転部に巻き取られるようになっており、前記転写ヘッドの先端に押圧転写部が形成され、前記転写ヘッドの幅方向両端部にテープガイドが設けられている塗膜転写具において、前記押圧転写部から前記テープガイド間の全て、もしくは一部分における、前記テープ基材が反転して走行する上面部の幅方向両端部に、中央部分に比べて肉厚が薄くなっている薄肉部を有することを特徴とする塗膜転写具の転写ヘッドから構成されている。
【０００７】
また前記塗膜転写具において、前記薄肉部が、両端部から始まり、平坦な中央部に向かうにつれて厚みが大きくなる傾斜部からなり、かつ前記押圧転写部から前記テープガイド間の全て、もしくは一部分における断面形状が、台形形状である構成としてもよい。
【０００８】
また、前記塗膜転写具において、前記薄肉部が、両端部から始まり、中央部に向かうにつれて厚みが一定でありかつ中央部よりも厚みの小さい平坦部と、前記平坦部から中央部に向かうにつれて厚みが大きくなる傾斜部とからなる構成としてもよい。
【発明の効果】
【０００９】
本発明によれば、転写ヘッドの押圧転写部からテープガイドに亘って、転写ヘッド上面部の幅方向両端部に、中央部分に比べて肉厚が薄くなっている薄肉部を有しているので、押圧時に押圧転写部の両端のみが弾性的に変形して、押圧転写部が被転写面に対して真っ直ぐに沿う形となり、その押圧力が押圧転写部を介して転写テープに確実に伝達され、均一な転写塗膜が得られる。
【００１０】
また、転写ヘッドの成型に際して、転写ヘッドの先端部における幅方向の両側縁に内向きの切り欠きを設けたり、ヘッド先端部とテープガイドの距離を大きくとる必要もないので、金型製作が容易となるとともに、成型不良や強度不足等の不具合もなくなるため、製造コストの低減を図ることができる。
【発明を実施するための最良の形態】
【００１１】
以下に、本発明の実施形態を図面に基づいて説明する。
【００１２】
図１は、本発明の塗膜転写具１の断面図であり、図２は図１における転写ヘッドの部分拡大斜視図である。また、図３は図２における転写ヘッドの断面図である。この塗膜転写具に使用される転写テープの構成、転写テープを塗膜転写具に回転可能に取り付ける方法、および塗膜を被転写面に転写する方法は、従来のものと同様であるので説明を省略する。
【００１３】
この塗膜転写具１は、本体２と前記本体２に取り付けられ、前記本体２の外部に突出した転写ヘッド３を有する。前記転写ヘッド３の先端部には、幅方向に細長い押圧転写部４が形成され、前記転写ヘッド３の幅方向両端部にはテープガイド５、５が互いに平行となるように一体に並設されている。さらに、前記押圧転写部４からテープガイド５、５に亘って、前記転写ヘッド３のテープ基材が反転して走行する上面部６の幅方向両端部に、両端部から中央部７に向かうにつれて肉厚が大きくなっている薄肉部８、８が設けられている。
【００１４】
本体２を移動させながら塗膜を被転写面に転写させるとき、この転写ヘッド３の押圧転写部４には被転写面方向に押圧力が作用する。このとき押圧転写部４にわずかな成型の仕上がり具合による湾曲がある場合であっても、中央部７に比べて肉厚が薄くなっている薄肉部８、８が設けられているため、押圧時には転写ヘッド３両端部の薄肉部８、８のみが変形して、押圧転写部４が被転写面に真っ直ぐに沿う形となり、その押圧力が押圧転写部４を介して転写テープに均一に伝達され、浮きのない良好な転写塗膜が得られるとともに塗膜の直線的な圧断が行われる。
【００１５】
図４は本発明の第２実施例である塗膜転写具の転写ヘッドの断面図である。この転写ヘッド３は、薄肉部が両端部から始まり、平坦な中央部７に向かうにつれて厚みが大きくなる傾斜部９、９からなり、かつ前記押圧転写部４から前記テープガイド間の全て、もしくは一部分における断面形状が、台形形状である構成となっている。押圧転写部４に対して被転写面方向に押圧力が作用したとき、上記構造となっているため、両端部の傾斜部９、９からなる薄肉部の変形度合いが変化していくので、押圧力が全体として均一化されることになり、押圧力が押圧転写部４を介して転写テープにより均一に伝達され、浮きのない良好な転写塗膜が得られるとともに塗膜の直線的な圧断が行われる。
【００１６】
図５は本発明の第３実施例である塗膜転写具の転写ヘッドの断面図である。この転写ヘッド３においては、薄肉部が中央部７から厚みが両端側に向けて小さくなる傾斜部９、９と、前記傾斜部９、９から両端部にかけて形成される、前記中央部７よりも厚みの小さい平坦部１０、１０からなる構成となっている。押圧転写部４に対して被転写面方向に押圧力が作用したとき、傾斜部９、９の変形に加えて、更に外側に位置する平坦部１０、１０が設けられており、前記平坦部１０、１０のより大きな変形作用により、前記平坦部７から傾斜部９、９を経て平坦部１０、１０に作用する押圧力をより均一化することになるので、押圧力が押圧転写部４を介して転写テープにより均一に伝達され、浮きのない良好な転写塗膜が得られるとともに塗膜の直線的な圧断が行われる。
【図面の簡単な説明】
【００１７】
【図１】本発明の第１実施例である塗膜転写具の断面図を示す。
【図２】図２は図１における塗膜転写具の転写ヘッドの部分拡大斜視図である。
【図３】本発明の第１実施例である塗膜転写具の転写ヘッドの断面図である。
【図４】本発明の第２実施例である塗膜転写具の転写ヘッドの断面図である。
【図５】本発明の第３実施例である塗膜転写具の転写ヘッドの断面図である。
【符号の説明】
【００１８】
１    塗膜転写具
２    本体
３    転写ヘッド
４    押圧転写部
５    テープガイド
６    上面部
７    中央部
８    薄肉部
９    傾斜部
１０  平坦部
【図１】
2005288981.tif 000003
【図２】
2005288981.tif 000004
【図３】
2005288981.tif 000005
【図４】
2005288981.tif 000006
【図５】
2005288981.tif 000007